(57)【要約】      （修正有）【課題】生分解可能かつ堆肥にできる植物由来のプラスチック材料を使用することによって、飲料用缶の上面において、ごみやほこりを効果的に保護することが可能な、飲料用缶のための蓋を提供する。【解決手段】蓋１は、植物由来のポリ乳酸（ＰＬＡ）のシートからなり、シートは、缶Ｌの内側の上面４および缶の円筒形状の本体６に関連付けられた、上面の連結縁部５を覆うように熱成形されている。シートは、缶の円筒形状の本体６の少なくとも一部を更に覆うように熱成形されている。シートは、利用者によるシートの把持を容易にし、かつ、缶から取り外し可能とする突出タブ２を有する。シートとタブ２との間に、タブの除去および飲み物を分注するための開口用の栓としての蓋の再利用を容易にするとともに、改ざんのいかなる可能性をも視認可能にする、プレカット３が存在する。【選択図】図２
0003212516.tif 000002
【実用新案登録請求の範囲】
【請求項１】
飲料用缶のための蓋であって、
植物由来のポリ乳酸（ＰＬＡ）のシートからなり、
前記シートは、少なくとも当該缶の内側の上面（４）および前記缶の円筒形状の本体（６）に関連付けられた、当該上面の連結縁部（５）を覆うように熱成形されている、蓋。
【請求項２】
当該ＰＬＡシートは、前記缶の当該円筒形状の本体（６）の少なくとも一部を更に覆うように熱成形されている、請求項１に記載の蓋。
【請求項３】
当該ＰＬＡシートは、利用者による当該シートの把持を容易にし、かつ、前記缶から取り外し可能とする突出タブ（２）を有する、請求項１または２に記載の蓋。
【請求項４】
当該ＰＬＡシートと当該タブ（２）との間に、前記タブの除去および飲み物を分注するための開口用の栓としての当該蓋の再利用を容易にするとともに、改ざんのいかなる可能性をも視認可能にする、プレカット（３）が存在する、請求項３に記載の蓋。
【請求項５】
当該ＰＬＡシートは、実質的に平坦かつ実質的に円形状のＰＬＡシートから熱成形されている、請求項１乃至４のいずれか一項に記載の蓋。
【請求項６】
１８０日の最長時間以内に完全に生分解可能であり、かつ堆肥にされ得て、特に土壌肥料として再利用するための堆肥システムとなり得る、請求項１乃至５のいずれか一項に記載の蓋。
【請求項７】
請求項１乃至６において定義された蓋を備えた飲料用缶。
【考案の詳細な説明】
【技術分野】
【０００１】
本考案は、梱包材料の分野に関し、より詳細には、飲料用缶のための蓋の改善に関する。
【背景技術】
【０００２】
一般に、問題は、利用者によって消費される食品容器の耐用期間の全ての工程において、より一層衛生的な状態を保つことを非常に感じることである。ここ数年にわたって、大いに検討されてきた食品容器は、飲料用缶である。この種類の容器は、実際には、通常、工業包装から消費まで長期にわたり、時折汚れた場所、またはいずれにしても衛生状態が適切に制御されていない場所において、運搬、貯蔵および配置からなる詳細な耐用期間を有する。倉庫の状態が最良であっても、ごみは、利用者の口が接触するように意図された、飲み物を分注するための開口用のプレカットタブが設置された缶の上部に堆積する。細菌および様々なほこりが開口タブ上に堆積または接近し得ることは、言うまでもない。
【０００３】
この問題は、飲料用缶において常に存在しており、タブが持ち上げられるとともに回転し、容器内に入ることにより缶に連結されたままとなる開口システムを含む缶によって、分離可能な開口タブを含む古い缶が市場において置き換えられたとき、利用者は、ここ数年にわたって、より当該問題に気付くようになっている。このようなシステムは、缶のタブが任意の場所に投げ捨てられていたため、汚染問題の解決に使用されており、かつ、容器と共に金属材料としての適切なリサイクルを容易にするために使用されている。しかしながら、その結果、缶の開口タブ上のごみおよびほこりが、飲み物に確実に接触するとともに、関連付けられた重要性とともに利用者内に入り得る。
【０００４】
この理由のため、使用の際のごみおよびほこりから缶の上部を保護するといった問題が、より感じられるようになっている。
【０００５】
今まで、この問題の様々な解決策が提案されてきたが、異なる理由については、完全に満足されていない。
【０００６】
アルミニウムシートから作られる、缶のための保護体が特に知られている。これらの蓋は、缶から取り外されたとき、一般に、壊れるか、またはいずれにせよ缶に付着した形状を失い、缶内の飲み物が飲み干されない間、栓として再利用され得ない。また、この種類の生分解可能ではない、または堆肥になり得ない金属の蓋は、使用の際に缶の開口システムの保護が可能となるが、その代わりに材料の処理およびリサイクルに関しては後退しており、アルミニウム蓋は、古い取り外し可能なタブのように、缶に取り付けられていないままである。
【考案の概要】
【考案が解決しようとする課題】
【０００７】
このため、本考案の範囲は、使用の際にごみおよびほこりからの効果的な保護を示す、飲料用缶のための改善された蓋を提供することにより、飲料用缶のための知られた保護システムの上述した問題を解決し、同時に、処理または環境保護に関する持続可能性の問題を生み出さないことにある。
【０００８】
本考案の更なる範囲は、缶の開口後に収容された飲み物が飲み干されるまで、缶の栓として使用され続けられ得る缶用の蓋を提供する。
【課題を解決するための手段】
【０００９】
このような範囲は、本考案による蓋および缶によって達成され、本質的な特徴は、添付の独立項に規定されている。
【図面の簡単な説明】
【００１０】
本考案による蓋および蓋を備えた缶の他の特徴および利点は、非限定的な例によって与えられた以下の記載並びに添付された図面を参照して明らかになるであろう。
【００１１】
【図１】図１は、飲料用缶に適用される前であって、本考案の好ましい実施の形態による蓋を熱成形によって得る前の開かれたＰＬＡシートを示す平面図である。
【図２】図２は、本考案による、図１のＰＬＡ蓋を備えた缶を示す斜視図である。
【考案を実施するための形態】
【００１２】
上述した図面を参照すると、実質的に平坦かつ好ましくは円形状の、植物由来のポリ乳酸（ＰＬＡ）からなる蓋１は、缶Ｌの上面４および缶の円筒形状の本体６に関連付けられた連結縁部５の少なくとも全体を覆うように熱成形されている。好ましくは、ＰＬＡシートは、熱成形され、缶の円筒形状の本体６の少なくとも一部を覆う。
【００１３】
本考案によれば、蓋１は、例えば、８０ｍｍ〜１００ｍｍの厚みのＰＬＡシートから作られている。
【００１４】
図１に示された飲料用缶のための蓋１の好ましい実施の形態によれば、ＰＬＡシートは、蓋の側縁に対して突出するタブ２を備え、缶から取り外し可能にするために、利用者によってシートの容易な把持を可能にする。好ましくは、缶の最初の開口のために蓋が取り外されたときに、タブの除去に役立つ予め切れ目が入れられたプレカット３によって、蓋と供に単一のシートからＰＬＡで作られたタブは、蓋に結合されている。プレカットを含むタブの存在は、本蓋のための開封明示機構の安全システムであるため、これは、本蓋の好ましい実施の形態を表している。実際に、タブの欠如またはプレカット線に沿った蓋からのタブの部分的剥離は、蓋を開けようとする試み並びにパッケージの安全性および衛生状態の損失を意味し得る。
【００１５】
飲料用缶のための本蓋を作るために使用されるポリ乳酸またはＰＬＡは、植物由来のものから作製され、通常は、ビターキャッサバ（bitter cassava）の根およびサトウキビから得られ得る。
【００１６】
ビターキャッサバは、澱粉が豊富な塊茎であり、伝統的な栽培方法を使用する東アジア、南アメリカおよびアフリカの特定の地域において栽培されている。ビターキャッサバは、スイートキャッサバ（sweet cassava）またはマニオクのような同じ科である塊茎根の他の種類とは異なり、従来の困難な加工処理を施さない限り、食用には適さないため、生分解可能なプラスチックの作製といった工業目的のために、既に数年間使用されている。ビターキャッサバの工業的使用は、人間の食物連鎖に影響がないため、この点において倫理原則に反しないものと考えられる。食用ではあるが、サトウキビはいずれの場合においても第２の食品と考えられるとともに、確実に人間の飲食のための食料品の根底にはならない。ＰＬＡの作製のために使用可能なトウモロコシやジャガイモのような他の澱粉源とは異なり、ビターキャッサバおよびサトウキビは、食用には適さなく、または、いずれの場合においても人間の飲食のための食料品の根底となる食品とはならないため、好ましい。
【００１７】
ポリ乳酸またはＰＬＡを得るためのビターキャッサバおよびサトウキビの処理工程は、発酵により乳酸を得るとともに、乳酸の重合によりポリ乳酸を得ることが可能となる澱粉を得るための、植物源の特定の処理工程を提供する。
【００１８】
この材料の可塑性、より一般には、物理化学的特徴は、材料が薄いシートに積層され得るとともに、所望の形状を得るように熱成形され得るようにする。これらは、通常は、１４０℃から１６０℃の間の温度を含む温度によって実行され、材料の抵抗に影響を与える熱処理をすることなく、形状を永久的に保つ。
【００１９】
缶のための本蓋を含む、上述したような植物由来のポリ乳酸により作られる製品は、完全に生分解可能であるとともに、堆肥にすることができる製品である。現行基準の欧州規格１３４３２によって規定されている時間内の堆肥処理後のこれらの最終製品は、実際にはＣＯ２、ミネラルおよび水である。このため、缶のための本蓋は、制御された生分解（堆肥）処理を通じて、堆肥、すなわち、土壌のための肥料にする工業堆肥工場へ送られるように意図された有機性廃棄物とともに、産業廃棄物として処分され得る。
【００２０】
ＰＬＡから作られた本蓋は、関連付けられた重要性とともに、不十分な透過性またはゼロの透過性に起因し得る凝縮現象を回避しえる、高い水蒸気透過性を有する。
【００２１】
上述した説明から、本考案の利点は明らかであるべきであるが、主な利点を以下に記載する。
【００２２】
本考案の飲料用缶のための蓋は、全体として植物由来の材料から作られている。このため、石油由来の伝統的なプラスチック材料を堆肥にするためには数１００年を必要とするのに対し、植物由来の材料は、現行の法律によって規定されている時間内に完全に生分解可能かつ堆肥にできる製品を生じさせ、完全な生分解、かつ堆肥、すなわち土壌のための肥料への変化は、工業堆肥サイトによれば、最大で１８０日以内と期待される。
【００２３】
また、これらの伝統的なプラスチック材料に対して、石油に代わる再生可能なエネルギーが製品に使用され、かつ、生材料の処理工程が、石油由来の伝統的なプラスチック製品に要求されるものに対して、エネルギーの消費量を少なくするとともに、より少ないＣＯ２の排出を提供するため、ここで使用される植物由来の材料は、非常に低減された環境影響を有する。また、本ＰＬＡ材料は、社会影響も低減されている。実際には、本ＰＬＡ材料は、伝統的な作物から栽培されるとともに、当初は食品の飲食のために意図されていない製品由来であるため、人間の食物連鎖から資源を取り去ることはない。最後に、本ＰＬＡ材料は、食品への接触に適した材料であり、最も一般的かつ伝統的なプラスチックに存在する、例えば、ビスフェノールＡのような、有害または発がん性のある合成物を含まない。
【００２４】
ＰＬＡから作られた本蓋は、高い透明性を有し、容易に積層されるとともに印刷可能でもある。このため、本蓋はカスタマイズされるとともに、所望の図やテキストによって、より魅力的にすることができる。
【００２５】
ＰＬＡから作られた本蓋の更なる利点は、知られたアルミニウム蓋とは反対に、一旦缶から取り除かれた場合、本蓋は、いずれの場合においても全体を維持し、熱成形によって得られた缶上の形状を保つ。これにより、本蓋は、飲み物がなくなるまで、分注するための開口用の栓として再利用可能となる。このため、本蓋は、開口前だけでなく、使用の間においても、衛生性を最大限に確保するとともに、安全な状態を確実にする。
【００２６】
最後に、本蓋の更なる利点は、特に使用の容易さ、利用者による蓋の把持に役立つように蓋の縁部に設けられたタブが存在する可能性、および缶から取り外し可能であることによって示される。加えて、蓋に「開封明示機構」の安全システムを設けることは、改ざんのいかなる可能性をも視認可能にする。
【００２７】
本考案の蓋は、ここでは飲料用缶への応用を特に参照して記載されたが、本蓋の使用により利益になり得る、他の適する容器を覆うために使用されてもよいことが理解される。
【００２８】
説明された例に対して、特に、ここで説明され開示された蓋の形状や大きさに対して、変形例が与えられてよい。実際には、本考案は、ここでは好ましい実施の形態を参照して記載されている。同一の考案のコアに対する他の実施の形態が存在し、これらは以下に示される実用新案登録請求の範囲の保護範囲内に属することが意図されている。
【図１】
0003212516.tif 000003
【図２】
0003212516.tif 000004